(57)【要約】【課題】  ユーザに、容易にマッサージ効果やリラクゼーション効果を与えることのできるマッサージ器具を提供する。【解決手段】  伸縮性ないし柔軟性を有する袋体１５と、この袋体１５に収納された複数の可動体１６とを設ける。動力源１２と、この動力源１２の回転により回転して可動体１６を撹拌する撹拌部材１３とを設ける。動力源１２が回転するとき、撹拌部材１３が回転して可動体１６を撹拌し、この撹拌により袋体１５の表面の凹凸をランダムに変化させる。【選択図】  図１
2009165571.tif 000002
【特許請求の範囲】
【請求項１】
モータと、
このモータの回転により回転あるいは振動が与えられる部材と
を有し、
上記部材による上記回転あるいは振動を人体に与える
ようにした電動器具。
【請求項２】
伸縮性ないし柔軟性を有する袋体と、
この袋体に収納された複数の可動体と、
動力源と、
この動力源の回転により回転して上記可動体を撹拌する撹拌部材と
を有し、
上記動力源により上記撹拌部材が回転して上記可動体が撹拌され、
この撹拌により上記袋体の表面の凹凸がランダムに変化する
ようにした電動器具。
【請求項３】
請求項２に記載の電動器具において、
上記可動体は、所定の硬度および大きさを有する球体であり、
上記動力源は直流モータである
ことを特徴とする電動器具。
【請求項４】
請求項２に記載の電動器具において、
上記可動体は、所定の硬度、大きさおよび形状を有する非球体であり、
上記動力源は直流モータである
ことを特徴とする電動器具。
【請求項５】
請求項３あるいは請求項４に記載の電動器具において、
上記撹拌部材はプロペラ状である
ことを特徴とする電動器具。
【請求項６】
請求項３あるいは請求項４に記載の電動器具において、
上記撹拌部材は、
円盤と、
この円盤の上記可動体と接する面に形成された凸部と
から構成されたことを特徴とする電動器具。
【請求項７】
請求項１に記載の電動器具において、
上記部材は、
上記モータにより回転駆動される円盤と、
この円盤の一方の面あるいは周面に形成された凸部と
から構成されたことを特徴とする電動器具。
【請求項８】
請求項７に記載の電動器具において、
上記円盤および上記凸部を覆う伸縮性ないし柔軟性を有する袋体を
有することを特徴とする電動器具。
【請求項９】
請求項１に記載の電動器具において、
上記モータは振動モータとされ、
この振動モータが殻状の容器に収納されて振動が与えられる部材が構成され、
この部材の複数個が伸縮性ないし柔軟性を有する袋体に収納された
ことを特徴とする電動器具。
【発明の詳細な説明】
【技術分野】
【０００１】
この発明は電動器具に関する。
【背景技術】
【０００２】
現代人は、何かとストレスがたまりやすく、それゆえ心身ともに疲れやすくなっている。マッサージ器具やリラクゼーショングッズなどが多く店で販売され、売れているのも、心身の疲れを癒したいというユーザの強い意思によるものと考えられる。例えば、大型電器量販店に行くと、肩や背中あるいは足の裏のマッサージ機などが必ずといっていいほど展示されている。
【０００３】
また、掌（手のひら）のマッサージ製品あるいはリラクゼーショングッズとして、全体が球状に構成され、ユーザが握りしめたり、掌の上を転がしたりすることにより、マッサージ効果やリラクゼーション効果が得られるようにしたものもある。このマッサージ器具は、球状体の材質に工夫を加えて適度な弾力性を持たせたり、形状を握りやすくしたり、あるいは掌の上で転がしやすくしたり、１個だけでなく２個を一緒に使用できるようにしたりなどの工夫がされている。
【０００４】
なお、先行技術文献として例えば以下のものがある。
【特許文献１】特開２０００−１８５０８２号公報
【発明の開示】
【発明が解決しようとする課題】
【０００５】
ところが、球状体により構成された掌のマッサージ器具は、握るにしろ掌の上を転がすにしろ、ユーザの意思が必要であり、このため、かえってユーザが疲れたり、不快な気持ちになったりすることがある。
【０００６】
この発明は、このような問題点を解決しようとするものである。
【課題を解決するための手段】
【０００７】
この発明においては、
モータと、
このモータの回転により回転あるいは振動が与えられる部材と
を有し、
上記部材による上記回転あるいは振動を人体に与える
ようにした電動器具
とするものである。
【発明の効果】
【０００８】
この発明によれば、器具の上に掌を乗せたり、逆に掌の上に器具を乗せたり、あるいは軽く握るだけで、マッサージ効果やリラクゼーション効果を得ることができる。そして、このとき、ユーザは、単に器具の上に掌を乗せたり、逆に掌の上にマッサージ器具を乗せたり、あるいは軽く握るだけでよいので、疲れたり、不快な気持ちになったりすることがない。
【発明を実施するための最良の形態】
【０００９】
図１において、符号１０はこの発明をマッサージ器具に適用した場合の一例を示し、図１においては、その垂直方向を断面として内部を示す。なお、マッサージ器具１０は、基本的には、上下（および前後・左右）の向きが規定されないが、以下においては、図１の状態を正立状態とする。
【００１０】
そして、このマッサージ器具１０は、例えば、全体がほぼ球状に構成されているとともに、その直径が６〜８cm程度とされ、すなわち、マッサージ器具１０の上に掌を乗せる、掌で覆う、あるいは手で握るなどの扱いができる大きさとされている。また、マッサージ器具１０はその下部に台座１１を有するとともに、この台座１１の上部に直流モータ１２が設けられている。
【００１１】
この直流モータ１２は、通常の直流モータの回転をギアにより低速化すると同時に高トルク化したもので、その回転数は例えば60〜120rpmとされている。そして、この直流モータ１２の回転軸は上方向に向けられるとともに、プロペラ状の撹拌部材１３が設けられている。また、台座１１の内部には、直流モータ１２の電源となる電池１４が設けられている。したがって、台座１１は、電池ボックスを兼ねていることになる。
【００１２】
そして、これら台座１１〜撹拌部材１３を包み込むように、伸縮性ないし柔軟性を有する袋体１５がかぶせられるとともに、この袋体１５の内部には、複数の可動体、例えば10個の球体１６が収納されている。この場合、袋体１５は例えばＴＰＲ（ThermoPlastic Rubber；熱可塑性ゴム、熱可塑性エラストマ）により形成され、例えば内部に何もない状態で空気などにより膨らませたときには、球状になるものであり、この袋体１５の開口が台座１１の底部に例えば接着により固定されている。また、球体１６は例えば直径が２cm程度の大きさで適度の硬度を有するものであり、例えばＴＰＲにより形成されている。
【００１３】
そして、上記のように、袋体１５の内部には、台座１１〜撹拌部材１３、球体１６が収納され、したがって、袋体１５は全体としてほぼ球状となるとともに、その表面は球体１６により凹凸が形成される。なお、球体１６の数を選択することにより、袋体１５の直径が、掌にしっくりくる大きさ、例えば上記のように６〜８cm程度とされる。
【００１４】
このような構成によれば、直流モータ１２が通電されると、撹拌部材１３が回転し、その回転につれて球体１６が撹拌される。そして、球体１６が撹拌されると、球体１６の位置が変化するので、袋体１５の表面の凹凸が球体１６の撹拌につれてランダムに変化する。したがって、例えば、袋体１５の上に掌を乗せていれば、すなわち、マッサージ器具１０の上に掌を乗せたり、軽く握っていれば、掌がマッサージされることになる。
【００１５】
こうして、このマッサージ器具１０によれば、マッサージ器具１０の上に掌を乗せたり、軽く握るだけで、掌をマッサージしたり、掌のツボを刺激したりすることができ、したがって、マッサージ効果やリラクゼーション効果を得ることができる。そして、このとき、ユーザは、単にマッサージ器具１０の上に掌を乗せたり、軽く握るだけでよいので、疲れたり、不快な気持ちになったりすることがない。
【００１６】
また、例えば図２に示すように、マッサージ器具１０を上下逆にして掌（破線図示）に乗せたり、その状態で握ってもよく、この場合にも、撹拌部材１３の回転により球体１６が撹拌されて袋体１５の表面の凹凸がランダムに変化するので、掌がマッサージされることになり、やはりマッサージ効果やリラクゼーション効果を得ることができる。しかも、図２に示す例においては、球体１６として、直径の異なる球体を混合させた場合でもあり、したがって、袋体１５の表面の凹凸やこの凹凸による刺激をよりランダムにすることができる。
【００１７】
図３は、この発明の他の例を示し、この例においては、台座１１が円柱状に形成されるとともに、上面の中央の凹部に直流モータ１２が設けられる。また、円盤１３Ａの上面に凸部１３Ｂが一体に形成されて撹拌部材１３が構成される。この場合、円盤１３Ａに対する凸部１３Ｂの位置、大きさ、高さなどはランダムとすることができる。なお、この例においては、円盤１３Ａの下面が、台座１１および直流モータ１２に近接している場合である。
【００１８】
したがって、この例においては、球体１６により袋体１５の表面に凹凸が形成されるとともに、撹拌部材１３が回転すると、その撹拌部材１３により球体１６が撹拌されるので、袋体１５の表面の凹凸がランダムに変化して掌がマッサージされることになり、マッサージ効果やリラクゼーション効果を得ることができる。
【００１９】
図４に示す例においては、撹拌部材１３が回転するとき、台座１１〜電池１４が、袋体１５の内部を球体１６に抗しつつ自由に移動できるようにした場合である。したがって、この場合には、マッサージ器具１０に掌を乗せるためにマッサージ器具１０を置くとき、あるいはマッサージ器具１０を掌に乗せるとき、マッサージ器具１０の向きを考慮する必要がない。このため、例えば歩きながら使用することができる。
【００２０】
図５に示す例においては、図３に示す例において、球体１６を省略した場合である。しかし、この例においても、撹拌部材１３が回転すると、この回転につれて凸部１３Ｂが回転的に移動するので、袋体１５の上に掌を乗せていれば、あるいは逆に掌の上にマッサージ器具１０を逆さまに乗せていれば、凸部１３Ｂが掌にあたってマッサージすることなる。
【００２１】
図６に示す例においては、台座１１が円盤状ないし円柱状に形成されるとともに、その上面中央に軸１１Ａが一体に形成され、この軸１１Ａの端部に、台座１１と等しい直径で半球状のカバー１１Ｂが設けられている。このとき、カバー１１Ｂと、台座１１との間において、軸１１Ａを中心として撹拌部材１３が回転自在に配置される。
【００２２】
この撹拌部材１３は、台座１１およびカバー１１Ｂと等しい直径、ないしやや小さい直径の円盤１３Ａの周面に、複数の撹拌部材１３Ｂが一体に形成されて構成されている。この場合、凸部１３Ｂの位置および大きさはランダムとされるとともに、凸部１３Ｂの先端が、台座１１およびカバー１１Ｂの周面から突出するようにされている。また、台座１１の内部に電池１４および直流モータ１２が設けられとともに、この直流モータ１２の回転がギア１７を通じて円盤１３Ａに伝達される。
【００２３】
したがって、直流モータ１２が回転すると、ギア１７を通じて円盤１３Ａが回転し、この回転につれて凸部１３Ｂが回転的に移動するので、カバー１１Ｂの上に掌を乗せていれば、あるいは逆に掌の上にマッサージ器具１０を逆さまに乗せていれば、凸部１３Ｂが掌にあたってマッサージをすることなる。
【００２４】
図７は、この発明のさらに他の例について、その水平方向を断面としてマッサージ器具１０の内部を示す。そして、この例においては、球体１６は硬度のある中空の殻状の容器とされるとともに、その内部に振動モータ１８が設けられる。この場合、振動モータ１８は、通常の直流モータの回転軸に偏心した重りをつけたものでよい。また、台座１１（電池１４）から振動モータ１８に電源を供給するケーブル１９は、球体１６が振動により移動しても互いにからまない程度の長さとされる。なお、このとき、振動モータ１８によってその振動のパラメータ（振動の速度、位相、大きさなど）が異なるものとすることができる。
【００２５】
したがって、この例においては、振動モータ１８の振動により球体１６が振動するとともに、移動するので、すなわち、振動モータ１８が撹拌部材１３と等価な働きをするので、上述のように、マッサージ器具１０の上に掌を乗せたり、軽く握ったりすれば、あるいはマッサージ器具１０を掌に乗せたり、その状態で握ったりすれば、袋体１５の表面の凹凸がランダムに変化するとともに、振動するので、掌がマッサージされることになる。
【００２６】
こうして、上述したそれぞれのマッサージ器具１０によれば、マッサージ器具１０の上に掌を乗せたり、逆に掌の上にマッサージ器具１０を乗せたり、あるいは軽く握るだけで、掌をマッサージをすることができ、マッサージ効果やリラクゼーション効果を得ることができる。そして、このとき、ユーザは、単にマッサージ器具１０の上に掌を乗せたり、逆に掌の上にマッサージ器具１０を乗せたり、あるいは軽く握るだけでよいので、疲れたり、不快な気持ちになったりすることがない。
【００２７】
なお、図１〜図４の例において、球体１６は非球状の可動体とすることもでき、例えばラグビーのボール状、ひょうたん状、西洋梨状、多面体などとすることもでき、あるいはこれらを混合して使用することもできる。さらに、図７の例において、カバー１１Ｂの代わりに、図５の例と同様に、台座１１まで袋体１５をかぶせることもできる。また、直流モータ１２の回転速度、すなわち、撹拌部材１３の回転速度を外部からの楽音信号などに合わせて変化させることもできる。
【００２８】
さらに、電池１４を充電式電池とした場合には、携帯電話機やコードレス電話機の子機の場合のように、マッサージ器具１０を充電台（図示せず）に乗せたとき、台座１１と充電台とが接点を通じて接続されることにより、あるいは電磁誘導により、給電され、電池１４が充電されるようにすることができる。
【００２９】
また、例えば、台座１１に発電機構を設け、これを回したり握ったりすると、電池１４が充電されるようにすることもできる。さらに、電池１４の代わりに、ぜんまいや弾み車などを撹拌部材１３の動力源とすることもできる。また、図１〜図６における直流モータ１２および撹拌部材１３、図７における振動モータ１８をリニアアクチュエータとすることもできる。
【図面の簡単な説明】
【００３０】
【図１】この発明の一形態を示す断面図である。
【図２】この発明の他の形態を示す断面図である。
【図３】この発明の他の形態を示す断面図である。
【図４】この発明の他の形態を示す断面図である。
【図５】この発明の他の形態を示す断面図である。
【図６】この発明の他の形態を示す断面図である。
【図７】この発明の他の形態を示す断面図である。
【符号の説明】
【００３１】
１０…マッサージ器具、１１…台座、１２…直流モータ、１３…撹拌部材、１４…電池、１５…袋体、１６…球体
【図１】
2009165571.tif 000003
【図２】
2009165571.tif 000004
【図３】
2009165571.tif 000005
【図４】
2009165571.tif 000006
【図５】
2009165571.tif 000007
【図６】
2009165571.tif 000008
【図７】
2009165571.tif 000009